(57)【要約】      （修正有）【課題】フローリングワイパーの使用時にスペアーロールカセット及びランナーシートがぐらつかないよう、又シートが絡まないようにし、且つ簡便でコンパクトなシート交換を可能としたワイパーを提供する。【解決手段】シートカセット及びランナーシート３を本体に格納できる構造２及びシートカセット、ランナーシートを固定、安定させる構造１を有することを特徴とする。【選択図】  図２
2004329640.tif 000002
【特許請求の範囲】
【請求項１】
シートカセット及びランナーシートを本体に格納できる構造及びシートカセット、ランナーシートを固定、安定させる構造を有するシート用ワイパー類
【請求項２】
ロールシートを本体に格納できる構造を有し、ロールシート固定部とロールシート逆回転防止構造を有し、且つロールシートが幅方向に概３０％伸縮する請求項１のシート用ワイパー類
【請求項３】
シートカセット及び折りたたみ型シートを本体に格納できる構造を有し、且つシートが幅方向に概３０％伸縮する請求項１のシート用ワイパー類
【請求項４】
ロール型シートをハンドルに格納可能な構造を有する請求項１のシート用ワイパー類
【請求項５】
ロール型シート及び折りたたみシート及びシートカセットを格納可能な構造を有し、且つロールシートが幅方向に概３０％伸縮する掃除機吸い込み口先端パーツである。
【発明の詳細な説明】
【０００１】シート用ワイパー類は、清掃用としては、ハードフロアー、フローリング、畳み、網戸、トイレ等の清掃に使用されている。構造は先端にヘッド部があり、その下部面にシートを固定し、床面と接触させ、擦ることにより、汚れを取る構造を有する。ヘッド部よりハンドルが上に配置されているが、長いハンドルの場合もあるし、ハンディタイプの場合もある。その汚れは、シートに捕獲、吸着される。シートの汚れが多くなると清掃の機能が低下する。その為、新しいシートに交換し、再び清掃能力を持たせて清掃できる仕組みとなっている。
【０００２】
［請求項１］において、シートとは、極細繊維及び不織布及び吸い取り紙及びフェルトあるいは、繊維状シートを指す。シートカセットとは、シートをまとめた容器とその中のシートの総称で、ワイパーにそのまま使用できるし、または、壁等に掛けるあるいは、机に置いてカセットシートだけでも使用可能である。ランナーシートとは、シートが一枚一枚分離していないで、連続してつながっている。ロールシートと折りたたみシート等がある。
ワイパー類とは、床用清掃ワイパー、フローリングワイパー、清掃ワイパー、畳ワイパー、網戸ワイパー、ワックスワイパー、トイレワイパー、吸水ワイパー等がある。最近において、電気用品はじめ、清掃ローラーと清掃シートを組み合わせた清掃機器が上市されている。本発明は、その機器類に対しても適用される。ワイパー本体とは、ベース部及びハンドル部を含めたワイパー全体を意味する。本発明は、ランナーシート及びシートカセットを本体ヘッド部に格納した構造、及び及びシートカセット、ランナーシートを固定、安定させる構造を有するシート用ワイパーである。ワイパー使用中にシートがぐらつかないように、ランナーを固定するための構造及び逆回転しないための構造を持っている。使用後の汚れたシートを取り外して廃棄し、ランナーシート及びシートカセットより新しいシートを引き出して格納部あるいは、ヘッド下部を覆い清掃面とする。
【０００３】
［請求項２］は、ロールシートを本体に格納できる構造を有し、ロールシート固定部とロールシート逆回転防止構造を有する請求項１のシート用ワイパー類である。シートを使用後に廃棄する場合に、廃棄するシートを取り外し、格納部より、新しいシートを引き出し清掃部に取り付ける。シート取り付け部は、ベース面をシートで覆い清掃部としても良い。あるいは、格納部の周辺をシートで覆い清掃部としても良い。シートは１回分の長さでミシン目が入れてあり、切り離し易くなっている。ローラー型ランナーシートを取り替える場合は、格納部にランナーシートを嵌め込み、球、テーパ軸等にて紙管の部分を固定する。固定部分は、摩擦で簡単に回転しない。そのため、逆回転しないようになっている。その後、新しいシートを引き出し使用する。
［請求項３］は、シートカセット及び折りたたみ型シートを本体に格納できる構造を有する請求項１のシート用ワイパー類である。ランナーシートの形状は、折りたたみ構造となっており、ローラー式に比べて、軽量且つコンパクト・簡易設計が可能である。折り方は、図１のように一枚一枚綴れ折りである。格納部の厚みがロール型に比べて薄いのが特徴である。シートカセット方式はロール型でも折りたたみ型でも良い。シートを使用後に廃棄する場合に、廃棄するシートを取り外し、カセットより、新しいシートを引き出し清掃部に取り付ける。シート取り付け部は、ベース面をシートで覆い清掃部としても良い。あるいは、格納部の周辺をシートで覆い清掃部としても良い。シートは１回分の長さでミシン目が入れてあり、切り離し易くなっている。折りたたみ型ランナーシート及びカセットシートを取り替える場合は、格納部にランナーシートあるいは、カセットシートを嵌め込み、新しいシートを引き出し使用する。
【０００４】
［請求項４］は、ロール型シートをハンドルに格納可能な構造を有する請求項１のシート用ワイパー類である。シート使用後に廃棄する場合に、廃棄するシートを取り外し、ハンドルの格納部より、新しいシートを引き出し清掃部に取り付ける。格納部は、ロールシートを格納できるように、ロールシート固定部がある。球、テーパ軸等で固定する。ハンドルそのものを格納部としても良いし、ハンドルに格納部を付属させる構造としても良い。３０回分のシート交換で、格納部の内径は約３５ｍｍあれば良い。
【０００５】
［請求項５］は、ロール型シート及び折りたたみシート及びシートカセットを格納可能な構造を有する掃除機吸い込み口先端パーツである。シートを使用後に廃棄する場合に、廃棄するシートを取り外し、格納部より、新しいシートを引き出し清掃部に取り付ける。上部にロール型シート及び折りたたみシート及びシートカセットを格納可能な構造を有している。
【発明の属する技術分野】
【０００６】この発明は、シート用ワイパー類の構造と連続使用の機能に関する。
【従来の技術】
【０００７】具体的な説明を要するために、従来のフローリングワイパーについて説明を行う。フローリングワイパーにおいては、スペアーは、ワイパー本体に格納していないため、別々に格納されていた。スペアーシートは、スペアーの箱に折りたたまれ格納されている。
【０００８】その為に、初期に商品を購入した時格納している、数枚のスペアーシートが、格納できず、無くなったり、スペアーの箱そのものの格納場所が不明になる問題が発生していた。スペアーを無駄にしたりスペアーを捜す手間があったり、広い意味で資源の無駄使いが見られた。
【０００９】そして、スペアーの格納場所が一部の人しか分からないので、誰でも簡単にシートの取り替えが出来ない問題点があった。誰でも簡単にスペアー交換ができないので、不便を感じられ、一部においてスペアーの格納場所が分からず再度購入したり、また、少し残っているスペアーが行方不明になったり、資源の浪費が見られた。
【００１０】また、特に業務用においては、広い場所、長い廊下、大きなロビー、各部屋等広範囲の清掃が必要となり、スペアーシートを持参なしに清掃作業を終えることは困難であった。その為連続的な作業が不便となっていた。特に業務用において、実用的な連続作業をする上で改善が求められていた。
【００１１】また、特許  実願平５−８９３１がある。しかし、未だ市場に出ていない。紙が主要な材料であるので、使用に耐えない問題点がある。また、格納シートを出し入れする際、シートを一枚一枚入れる必要があり、不便である。
また、特許  特願平１１−３３２２８がある。これも未だ市場に出ていない。問題点は、格納部が清掃面の幅より大きくなるので、格納部が摺動する構造としている。そして、ローラシート固定部、逆回転防止構造が付属できない構造にあると考えられる。その為、ローラーシートがワイパー使用中に動いたり又、逆回転し、シートが絡まったりする問題点が発生すると考えられる。
【発明が解決しようとする課題】
【００１２】本発明の解決する課題の基本点を次に示す。シート用ワイパーにおいて、誰もが簡単に使用できる、連続使用のワイパー類を提案した。且つ、従来の技術において市場に製品として未だ実現なし得ていない連続使用ワイパーの問題点を解決するものである。
【００１３】［請求項６］の発明の課題は、実際の使用時にスペアーロールカセット及びランナーシートがぐらつかないよう、又シートが絡まないようにし、且つ簡便でコンパクトなシート交換を可能としたワイパーを提案した。
［請求項２］の発明の課題は、ロール型ランナーシートにおいて、ロールがぐらつかないよう、又、シートが使用時に絡まないように工夫した。
それにより特許  特願平１１−３３２２８において、発明が実用化されない問題を解決した。そしてロール型シートの実用化へ道を開いた。
［請求項３］の発明の課題は、よりコンパクトで簡単な構造が可能な連続使用のワイパーを提案することである。
［請求項４］の発明の課題は、簡単な構造において連続使用を可能とするワイパーを提案する。
［請求項７］の発明は、掃除機吸い込み口先端パーツにおいて、シート交換を簡単にした吸いこみ口先端パーツを提案した。
【課題を解決するための手段】
【００１４】以上の課題を解決するために、［請求項８］の発明は、シートカセット及びランナーシートを本体に格納できる構造を有するシート用ワイパー類です。これにより、簡便なシート交換できる構造を有するワイパー類を提案した。且つ、ランナーシート及びカセット等の固定し安定させる構造を持ち、幅方向に概３０％伸縮するシートを使用するにより、実用化への道を開いた。
【００１５】［請求項２］の発明は、ロールシートを本体に格納できる構造を有し、ロールシート固定部とロールシート逆回転防止構造を有する事により、使用中において、ロールシートが安定し、逆回転により、シートが解けないようにし、且つ、ロールシートは幅方向に概３０％伸縮するものを使用することにより、実用可能な連続使用のワイパーを提案した。
【００１６】［請求項３］は、シートカセット及び折りたたみ型シートを本体に格納できる構造を有し、且つシートが幅方向に概３０％伸縮する請求項１のシート用ワイパー類である。これにより、コンパクトで軽量設計が可能となり、ワイパーの連続使用が実現可能となる。また、ウエットシートの分野においてもランナーシートの格納が可能となる。シートカセット及び折りたたみシートの格納部を蓋と格納部の凸凹の嵌め合い構造を使用することにより、水分及び揮発分の密閉性を計り、ウエットシートに適用することが可能となった。
【００１７】［請求項４］は、ロール型シートをハンドルに格納可能な構造を有する請求項１のシート用ワイパー類であり、それにより、ワイパーにシートが常に格納されることにより、簡便な構造でもワイパーの連続使用が可能となる。シートカセット及び折りたたみシートの格納部を蓋と格納部の凸凹の嵌め合い構造を使用することにより、又蓋部をねじ込み方式を用いることにより、水分及び揮発分の密閉性を計り、ウエットシートに適用することが可能となった。
【００１８】［請求項５］は、ロール型シート及び折りたたみシート及びシートカセットを格納可能な構造を有し、且つロールシートが幅方向に概３０％伸縮する掃除機吸い込み口先端パーツである。
【発明の実際の形態】
【００１９】
［請求項９］のロールシートを本体に格納できる構造及びシートカセット、ランナーシートを固定、安定させる構造を有し、ロールシート固定部とロールシート逆回転防止構造を有する請求項１のシート用ワイパー類は、図１に示す。▲１▼が逆回転防止構造であり、ワイパー使用中にロールシートが回転し解れるのを防ぐ。そしてロール固定構造であり、ワイパー使用中にロールが逆回転しシートが解れるのを防ぐ。主に球の形状をした押さえ、テ―パ軸により安定固定させる。シートは、▲３▼に示され、ロールシート保持面を覆い清掃面をされる。▲５▼の蓋を開閉し、ロール型シートを交換する。▲２▼がロール保持部である。
［請求項３］のシートカセット及び折りたたみ型シートを本体に格納できる構造を有する請求項１のシート用ワイパー類を図３、４に示す。▲３▼に折りたたみシートを示す。▲４▼が清掃面である。▲５▼の蓋を密閉式とすることにより、ウエットタイプシートの使用も可能となった。▲１▼がシート固定部で▲２▼がシート保持部である。
［請求項４］の、ロール型シートをハンドルに格納可能な構造を有する請求項１のシート用ワイパー類を図５，６に示す。図５がハンディタイプである。図６フローリングタイプである。▲６▼がハンドルで、▲３▼がロールシート及びカセット格納部である。▲５▼の蓋を開閉し新しいシートを引き出して交換する。
［請求項５］
のロール型シート及び折りたたみシート及びシートカセットを格納可能な構造を有する掃除機吸い込み口先端パーツを図７に示す。▲４▼が清掃面である。▲２▼が格納部である。▲５▼の蓋を開閉することにより、ロールシートを取り替える。
【実施形態の効果】
【００２０】上記の図２の実施形態により、本発明は、シート用ワイパー類において、シート▲３▼のロールシートの格納方法を画期的に便利にしたものである。使用しているシートが汚れると、ミシン目の部分を破り使用後のシートを廃棄する。次にスペアー格納部▲２▼より新しいシートを引き出す。シートは伸縮することにより、シート保持部より大きく作られた清掃面をカバーできるようになっている。紙管は両側を球形状の構造部品、及びテーパ軸にて簡単には回転しないように、内側から、押さえられている。新しいシートの先端部と反対側をワニ口クリップ▲７▼等で固定しセットした後に使用する。ロールシートが無くなれば、上蓋▲５▼を開けて、シート▲３▼を交換する。本発明は、ロールシート格納部とロール固定部とロール逆回転防止部よりなる。簡単な構造であるが、ロールシートをワイパーに適用するのに必要な構造を揃えている。
【００２１】図３の実施形態において、▲２▼の格納部に折りたたみシートが格納されている。折りたたみシート▲３▼を引き出していくと、シートはランナーで繋がっているので、順次引き出せる。コンパクト設計が可能であり、カセットを使用するとスペアーは、壁掛けあるいは、机の上に置いて、シートのみでの使用可能である。
【００２２】図５、６の実際の形態において、ロールシートあるいは、そのカセットをハンドル部▲６▼のシート格納部▲２▼に入れている。シートをそこから引き出しワイパーの清掃面▲４▼を覆い使用する。又、シートのみで使用しても良い。
【００２３】図７の実際の形態において、ロール型シート及び折りたたみシート及びシートカセットを格納可能な構造を有する掃除機吸い込み口先端パーツを提案することにより、掃除機の清掃において、シートの連続使用が可能となり、簡単な清掃が可能となった。
【発明の効果】
【００２４】以上説明したように、本発明は、まず、市場に出ていない連続使用のワイパー類を始めて提供できる技術を提供した。幅方向に新ｓｙ区するシートを使用することにより、保持部より大きく形成された清掃面をカバーすることが出来た。ワイパー類のシートカセット及びランナーシートを本体に格納する構造を有するワイパー類を提案することにより、シート交換の際に、スペアーシートを捜すことなく、簡単にシート交換出きるようになった。また、次のスペアーにおいても、カセット方式を採用して、格納場所壁掛けあるいは、机の上においてシートだけを使用することができるようになり、保管場所も分かり易くより便利となった。スペアーシートを失わずに無駄なく使うことができる画期的な発明である。広い意味での、ＵＤ商品であり、資源の有効利用という面で環境配慮商品である。また、業務用において、広範囲を清掃する場合、連続清掃をより簡単にできる機能を有したワイパーを提供することができた。本発明は、これらを大幅に改善した画期的な効果を有する発明である。
【図面の簡単な説明】
【図１】折りたたみ型ランナーシートを示す図
【図２】［請求項１０］のロールシートを本体に格納できる構造を有し、ロールシート固定部とロールシート逆回転防止構造を有し、且つロールシートが幅方向に概３０％伸縮する請求項１のシート用ワイパー類
【図３】［請求項３］のシートカセット及び折りたたみ型シートを本体に格納できる構造を有し、且つシートが幅方向に概３０％伸縮する請求項１のシート用ワイパー類
【図４】［請求項３］のシートカセット及び折りたたみ型シートを本体に格納できる構造を有し、且つシートが幅方向に概３０％伸縮する請求項１のシート用ワイパー類
【図５】［請求項４］のロール型シートをハンドルに格納可能な構造を有する請求項１のシート用ワイパー類
【図６】［請求項４］のロール型シートをハンドルに格納可能な構造を有する請求項１のシート用ワイパー類
【図７】［請求項５］のロール型シート及び折りたたみシート及びシートカセットを格納可能な構造を有し、且つロールシートが幅方向に概３０％伸縮する掃除機吸い込み口先端パーツである。
【符号の説明】
▲１▼カセット、ランナーシート固定部
▲２▼シート収納部
▲３▼シート
▲４▼清掃面
▲５▼蓋
▲６▼ハンドル
▲７▼クリップ
【図１】
2004329640.tif 000003
【図２】
2004329640.tif 000004
【図３】
2004329640.tif 000005
【図４】
2004329640.tif 000006
【図５】
2004329640.tif 000007
【図６】
2004329640.tif 000008
【図７】
2004329640.tif 000009